(57)【要約】【課題】音声信号伝送システムにおいて、送信側装置の負荷の分散及び省スペース化を実現すると共に、受信側装置における利便性を向上する。【解決手段】送信側装置１と受信側装置２とが１本の伝送路３により接続される。送信側装置１に入力される複数チャンネルの音声信号を多重部１２において多重して受信側装置２に向け送信する。受信側装置では、上記送信された多重された音声信号を伝送路３を介して受信し、選択部２２において各チャンネルに分離し、外部からの音声信号選択制御にしたがって任意の音声信号を選択して出力する。【選択図】図１
2007251872.tif 000002
【特許請求の範囲】
【請求項１】
送信側装置と、前記送信側装置と接続される１又は複数の受信側装置とを備える音声信号伝送システムであって、
前記送信側装置は、
ＡＥＳ（Audio Engineering Society）フォーマットの複数チャンネルの音声信号を入力する入力手段と、
前記入力された複数チャンネルの音声信号を多重する多重化手段と、
前記多重された音声信号を前記１又は複数の受信側装置に向け送信する送信手段と
を具備し、
前記１又は複数の受信側装置は、
前記多重された音声信号を受信する受信手段と、
前記受信された音声信号を分離して任意のチャンネルの音声信号を選択的に出力する選択手段と
を具備することを特徴とする音声信号伝送システム。
【請求項２】
送信側装置と、前記送信側装置と接続される１又は複数の受信側装置とを備える音声信号伝送システムで用いられ、
前記送信側装置において、
ＡＥＳフォーマットの複数チャンネルの音声信号を入力し、
前記入力された複数チャンネルの音声信号を多重し、
前記多重された音声信号を前記１又は複数の受信側装置に向け送信し、
前記１又は複数の受信側装置において、
前記多重された音声信号を受信し、
前記受信された音声信号を分離して任意のチャンネルの音声信号を選択的に出力することを特徴とする音声信号伝送方法。
【発明の詳細な説明】
【技術分野】
【０００１】
この発明は、複数チャンネルの音声信号を伝送する音声信号伝送システム及び音声信号伝送方法に関する。
【背景技術】
【０００２】
従来の音声信号伝送システムでは、送信側装置にスイッチャ装置を備え、多チャンネルの音声信号をすべてスイッチャ装置に入力し、出力系統に応じて出力していた。このため、送信側装置に負荷が集中し、送信側装置と受信側装置との間をチャンネル毎に敷線していたため、敷設された多数の回線により占有されるスペースも大きかった。  
そこで、多チャンネルの音声信号と同期信号とを併せてケーブル１本で伝送する手法が提案されている（例えば、特許文献１を参照）。
【特許文献１】特開平１１−２９８９９９号公報
【発明の開示】
【発明が解決しようとする課題】
【０００３】
ところが、上記従来技術では、受信側装置の出力系統は予め決められており、任意のチャンネルの信号を出力することができない。
【０００４】
この発明は上記事情に着目してなされたもので、その目的とするところは、送信側装置の負荷の分散及び省スペース化を実現すると共に、受信側装置における利便性を向上する音声信号伝送システム及び音声信号伝送方法を提供することにある。
【課題を解決するための手段】
【０００５】
上記目的を達成するためにこの発明に係わる音声信号伝送システムは、送信側装置と、前記送信側装置と接続される１又は複数の受信側装置とを備える音声信号伝送システムであって、前記送信側装置は、ＡＥＳ（Audio Engineering Society）フォーマットの複数チャンネルの音声信号を入力する入力手段と、前記入力された複数チャンネルの音声信号を多重する多重化手段と、前記多重された音声信号を前記１又は複数の受信側装置に向け送信する送信手段とを具備し、前記１又は複数の受信側装置は、前記多重された音声信号を受信する受信手段と、前記受信された音声信号を分離して任意のチャンネルの音声信号を選択的に出力する選択手段とを具備することを特徴とする。
【０００６】
また、この発明に係わる音声信号伝送方法は、送信側装置と、前記送信側装置と接続される１又は複数の受信側装置とを備える音声信号伝送システムで用いられ、前記送信側装置において、ＡＥＳフォーマットの複数チャンネルの音声信号を入力し、前記入力された複数チャンネルの音声信号を多重し、前記多重された音声信号を前記１又は複数の受信側装置に向け送信し、前記１又は複数の受信側装置において、前記多重された音声信号を受信し、前記受信された音声信号を分離して任意のチャンネルの音声信号を選択的に出力することを特徴とする。
【０００７】
上記構成による音声信号伝送システム及び音声信号伝送方法では、送信側装置に入力される複数チャンネルの音声信号を多重して受信側装置に伝送し、多重された音声信号を受信側装置で各チャンネルに分離し任意の音声信号を選択して出力可能にしている。このようにすることで、送信側装置の負荷を分散させることができ、障害が発生した場合の被害を抑えることができる。また、敷線を少なくすることで送信側装置の省スペース化を図ることが可能となる。
【発明の効果】
【０００８】
したがってこの発明によれば、送信側装置の負荷の分散及び省スペース化を実現すると共に、受信側装置における利便性を向上する音声信号伝送システム及び音声信号伝送方法を提供することができる。
【発明を実施するための最良の形態】
【０００９】
以下、図面を参照しながら本発明の実施の形態を詳細に説明する。  
図１は、この発明に係わる音声信号伝送システムの一実施形態を示すブロック図である。  
この音声信号伝送システムは、送信側装置１と受信側装置２とを備え、これらが伝送路３を介して接続されて構成される。例えば、送信側装置１はマスタ送出側に設けられ、受信側装置２は各スタジオに設けられる。
【００１０】
送信側装置１は、音声入力Ｉ／Ｆ１１−１〜ｎと、多重部１２と、通信Ｉ／Ｆ１３とを備える。音声入力Ｉ／Ｆ１１−１〜ｎは、ＡＥＳフォーマットの音声信号をそれぞれ入力する。多重部１２は、上記音声入力Ｉ／Ｆ１１−１〜ｎから入力される複数チャンネルの音声信号を順に時分割多重する。多重部１２において多重された音声信号は、通信Ｉ／Ｆ３により伝送路３を介して受信側装置２に向け送信される。例えば、伝送路３に同軸ケーブルを用いて２７０Ｍｂｐｓで高速伝送する。
【００１１】
一方、受信側装置２は、通信Ｉ／Ｆ２１と、選択部２２と、音声出力Ｉ／Ｆ２３−１〜ｓとを備える。通信Ｉ／Ｆ２１は、送信側装置１から伝送路３を介して到来する多重された音声信号を受信し、選択部２２に入力する。多重された音声信号は選択部２２において分離され、外部制御装置（図示せず）からの制御により選択される任意のチャンネルの音声信号を音声出力Ｉ／Ｆ２３−１〜ｓに出力する。
【００１２】
従来の音声信号伝送システムでは、送信側装置にスイッチャ装置を備え、入力された音声信号を切り替えてチャンネル毎に伝送路を介して受信側装置に送信していた。このため、送信側装置に大型のスイッチャ装置を設けるため負荷が集中していた。さらに、送信側装置と受信側装置との間をチャンネル毎に敷線していたため、敷設された多数の回線により占有されるスペースも大きかった。
【００１３】
これに対し本発明では、送信側装置に入力される多チャンネルの音声信号を多重して受信側装置に伝送し、受信側装置で多重された音声信号を各チャンネルに分離し、任意の音声信号を選択して出力可能にしている。このようにすることで、送信側装置の負荷を分散させることができ、障害が発生した場合の被害を抑えることができる。また、送信側装置の省スペース化を図ることが可能となる。受信側装置においては、任意のチャンネルの音声信号を選択出力されるため、例えば音声編集の際の操作性が向上する。
【００１４】
なお、この発明は、上記実施形態に限定されるものではない。上記実施形態では、送信側装置１と受信側装置２が１対１で接続される構成を例にとって説明したが、１つの送信側装置１に対し、複数の受信側装置２がそれぞれ伝送路３を介して接続される構成にすることももちろんできる。この場合、送信側装置１に集中する負荷を複数の受信側装置に分散することが可能となり、システムが大規模化した場合でも安定した運用が可能となる。
【００１５】
要するに、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００１６】
【図１】この発明に係わる音声信号伝送システムの一実施形態を示すブロック図。
【符号の説明】
【００１７】
１…送信側装置、１１−１〜ｎ…音声入力Ｉ／Ｆ、１２…多重化部、１３…通信Ｉ／Ｆ、２…受信側装置、２１…通信Ｉ／Ｆ、２２…選択部、２３−１〜ｓ…音声出力Ｉ／Ｆ、３…伝送路。
【図１】
2007251872.tif 000003